(57)【要約】【課題】  ハンドオーバ時のプロセスを効率化し得る構成を提供することを目的とする。【解決手段】  第１の基地局から端末に対する送信が完了していないデータについて、第１の基地局から第２の基地局への転送を行い、第２の基地局は、転送がなされたデータに付加された受信の順序を示す番号に継ぐ番号の通知を受信し、第２の基地局は、転送により取得した転送データを端末へ送信し、また、転送には含まれていないデータに対して、通知により取得した番号を付加して送信し、端末は、第２の基地局から送信された、転送データを受信し、また、第２の基地局が通知により取得した番号が付加された、転送には含まれていないデータを受信する。【選択図】図３
2011087328.tif 000002
【特許請求の範囲】
【請求項１】
基地局から端末へのデータ送信を行う無線通信方法において、
第１の基地局から端末に対する送信が完了していないデータについて、該第１の基地局から第２の基地局への転送を行い、
該第２の基地局は、該転送がなされたデータに付加された受信の順序を示す番号に継ぐ番号の通知を受信し、
該第２の基地局は、該転送により取得した転送データを該端末へ送信し、また、該転送には含まれていないデータに対して、該通知により取得した前記番号を付加して送信し、
該端末は、該第２の基地局から送信された、該転送データを受信し、また、前記第２の基地局が前記通知により取得した前記番号が付加された、前記転送には含まれていないデータを受信する、
ことを特徴とする無線通信方法。
【請求項２】
前記転送には含まれていないデータは、前記第１の基地局とは異なる前記第２の基地局の上位装置から直接受信したデータである、
ことを特徴とする請求項１記載の無線通信方法。
【請求項３】
前記第２の基地局が受信する前記通知に含まれる前記番号は、前記転送には含まれていないデータに対して付加される番号の初期値であって、前記転送には含まれていないデータの送信毎に更新される、
ことを特徴とする請求項１記載の無線通信方法。
【請求項４】
基地局から端末へのデータ送信を行う無線通信システムにおいて、
第１の基地局は、該第１の基地局から端末に対する送信が完了していないデータについて、該第１の基地局から第２の基地局への転送を行う転送手段を備え、
該第２の基地局は、
該転送がなされたデータに付加された受信の順序を示す番号に継ぐ番号の通知を受信する受信手段と、
該転送により取得した転送データを該端末へ送信し、また、該転送には含まれていないデータに対して、該通知により取得した前記番号を付加して送信する送信手段とを備え、
該端末は、該第２の基地局から送信された、該転送データを受信し、また、前記第２の基地局が前記通知により取得した前記番号が付加された、前記転送には含まれていないデータを受信する受信手段を備えた、
ことを特徴とする無線通信システム。
【請求項５】
前記転送には含まれていないデータは、前記第１の基地局とは異なる前記第２の基地局の上位装置から直接受信したデータである、
ことを特徴とする請求項４記載の無線通信システム。
【請求項６】
前記第２の基地局が受信する前記通知に含まれる前記番号は、前記転送には含まれていないデータに対して付加される番号の初期値であって、前記転送には含まれていないデータの送信毎に更新される、
ことを特徴とする請求項４記載の無線通信システム。
【発明の詳細な説明】
【技術分野】
【０００１】
本発明は無線通信方法、無線通信システム、端末および基地局に関する。
【背景技術】
【０００２】
周知の業界団体である３ＧＰＰ（３ｒｄ  Ｇｅｎｅｒａｔｉｏｎ  Ｐａｒｔｎｅｒｓｈｉｐ  Ｐｒｏｊｅｃｔ）によって開発された高速パケット伝送技術の一つであるＨＳＤＰＡ（Ｈｉｇｈ  Ｓｐｅｅｄ  Ｄｏｗｎｌｉｎｋ  Ｐａｃｋｅｔ  Ａｃｅｓｓ）では、ハンドオーバ時の情報連続性を確保するための手段として、基地局上位装置（ＲＮＣ：無線ネットワークコントローラ、以下同様）での情報のバッファリング及び当該基地局上位装置で付与するシリアル番号（以下単にＳＮと称する）を利用している。
【０００３】
以下図とともにその原理を説明する。
【０００４】
図１はＨＳＤＰＡのシステム構成例を示す。同図は、ネットワークを通じて外部の通信局から送信される情報をユーザ端末（以下単に端末と称する）１０に転送する機能が、基地局（いわゆるＢＴＳ：ベーストランシーバステーション、以下同様）３０−１から基地局３０−２に対し、いわゆるハンドオーバされた場合の例を示している。
【０００５】
ここでハンドオーバとは、端末１０に情報を転送する機能を担う機能を、端末１０としての携帯電話機等の移動局の移動に伴い、当該端末１０に情報を転送するのに最も適した位置にある基地局に順次移譲する動作を意味する。
【０００６】
基地局上位装置３０はネットワークから受信(ステップＳ１)した情報の所定の単位情報量毎に上記ＳＮとしてＳＮ−２０〜を付与し(ステップＳ２)、基地局３０−１に送信している(ステップＳ３)。この際、基地局上位装置３０はこれらの情報を内部にバッファリングしている。
【０００７】
基地局３０−１ではこのＳＮを意識することなく受信情報を端末１０に送信(ステップＳ４)している。ここでハンドオーバが実施されると、結果として基地局上位装置３０はその時点から送信する情報ＳＮ−３２〜を、上記基地局３０−１とは異なる基地局３０−２に送信(ステップＳ５)する。
【０００８】
このとき基地局３０−１では、基地局上位装置３０から受信した情報のうち、ＳＮ−２０〜２７までを端末１０に送信(ステップＳ５)したところで上記ハンドオーバにより無線回線が切断されたものとする。その場合未送信であった情報ＳＮ−２８〜３１を送信することができないため、これらを破棄(ステップＳ５)する。
【０００９】
基地局３０―２は基地局上位装置３０から受信した情報ＳＮ−３２〜の端末１０への送信を開始(ステップＳ７)する。端末１０はその際、情報ＳＮ−２８〜３１を受信していない。これは上記のごとく、ハンドオーバの際に基地局３０−１から端末１０へ送ることができずに破棄された情報である。端末１０では情報に付されたＳＮを参照することにより、この受信情報の欠損を認識する。
【００１０】
その結果端末１０は基地局３０−２を通じ基地局上位装置３０に対し、欠けている受信情報の再送要求を行う(ステップＳ８）。基地局上位装置３０はこれを受け、該当する情報ＳＮ−２８〜３１を基地局３０−２に送信(ステップＳ９)する。基地局３０−２は受信した情報ＳＮ２８〜３１を端末１０に送信(ステップＳ１０)する。
【００１１】
これにより端末１０は欠けていた情報が補完され、情報の連続性を確保することが可能となる。
【００１２】
なお基地局上位装置３０では上記のごとく、基地局に対し送信した情報をバッファリングしているため、上記のごとく端末１０から再送要求があった場合、当該バッファリングされていた情報を送信する。
【００１３】
図２は従来の他の例を示す。この例は、特許文献２に開示された方法である。
【００１４】
この方法は上記ＳＮの付与を行わず、送信シリアル番号（以下単にＴＳＮと称する）を付与し、ＴＳＮにより情報の連続性を確保する方法である。
【００１５】
図２中、基地局３０―１は外部通信局からネットワークを通じて情報を受信しＴＳＮ−１２〜１４を振り(ステップＳ１２)、端末１０に向けてこのうち情報ＴＳＮ−１２〜１３を送信する（ステップＳ１３）。
【００１６】
ここでハンドオーバが発生すると、外部通信局はそれ以降送信する情報をハンドオーバ先の基地局３０―２に送信する（ステップＳ１４）。基地局３０−１ではハンドオーバにより端末１０に送信できなくなった情報ＴＳＮ−１４を、ハンドオーバ先の基地局３０―２に転送する(ステップＳ１５)。
【００１７】
基地局３０−２では基地局３０−１からの上記情報の転送（ステップＳ１５）を待ち、その間外部通信局から受信した情報を端末１０に転送せずにバッファリングしておく。
【００１８】
そして当該情報ＴＳＮ−１４が基地局３０−１から受信されたところでこれを端末１０に向け送信する（ステップＳ１６）。基地局３０−２はその際、ハンドオーバ後に外部通信局から送信され上記のごとくバッファリングしておいた情報に対してＴＳＮ−１５〜を振り、端末１０に向け送信する(ステップＳ７)。
【００１９】
図２の場合、上記のごとくハンドオーバ先の基地局３０−２では、ハンドオーバ元の基地局３０−１からの未送信情報の転送を待つ。そしてこれを受信後に端末１０へ送信するとともに、ハンドオーバ後に外部通信局から送信された情報を端末１０に送信する。その結果端末１０では、ハンドオーバによる受信情報の欠損が生ずることなく、所定の順序で情報を受信することができる。
【先行技術文献】
【特許文献】
【００２０】
【特許文献１】特開平１１−３３１２０８号公報
【特許文献２】特開平９−１８６７０４号公報
【非特許文献】
【００２１】
【非特許文献１】３ＧＰＰ  ＴＳ２５．３２１
【非特許文献２】３ＧＰＰ  ＴＳ２５．３２２
【発明の概要】
【発明が解決しようとする課題】
【００２２】
図１の従来例の場合、端末１０においてＳＮを参照することで受信情報の欠損を認識し、欠損情報に対する再送要求を基地局上位装置３０に行う。このようなプロセスを経ることにより、最終的に情報の連続性を確保するまでに時間を要することにより、情報の遅延が生ずる。
【００２３】
またこの例の場合、上記のごとく基地局上位装置３０では端末１０からの再送要求に備え送信済みの情報をバッファリングしておく必要ある。このため、基地局上位装置３０では送信済み情報のバッファリングのための記憶容量を確保する必要性が生ずる。
【００２４】
また図２の従来例の場合、ハンドオーバ先の基地局３０−２では送信情報の連続性確保のため、ハンドオーバ元の基地局３０−１からの未送信情報ＴＳＮ−１４の転送を受けるまで、ハンドオーバ後に外部通信局から受信した情報ＴＳＮ−１５〜を送信できないこととなる。このため情報の遅延が生ずる。またこの場合、基地局３０−１からの未送信情報の転送を待つ間に端末１０への情報の送信が途絶える。その結果その間該当する通信チャネルが使用されないこととなり、通信リソースの有効利用が図れない。
【００２５】
本発明は上記問題点に鑑みてなされたものであり、ハンドオーバ時に生ずる情報の遅延を最小限にし、基地局上位装置３０において確保すべき記憶容量を最小限にし、かつ通信リソースの有効利用を図り得る通信方式を提供することを目的とする。
【課題を解決するための手段】
【００２６】
本発明では上記目的の達成のため、第２の通信局が前記所定の情報を受信する際の転送機能が一の第１の通信局の機能が他の第１の通信局へ移譲された際、当該他の第１の通信局は前記一の第１の通信局から前記所定の情報の転送を受け、これを前記第２の通信局へ転送する。また前記一の第１の通信局から前記他の第１の通信局を介して前記第２の通信局に転送される前記所定の情報と、前記他の第１の通信局から直接前記第２の通信局に転送される前記所定の情報とを区別するための所定の区別情報を付すようにした。
【００２７】
このように情報の転送の機能が基地局としての一の第１の通信局から他の第１の通信局へ移行された際、すなわちハンドオーバ時、ハンドオーバ先の他の第１の通信局には、ハンドオーバ元の一の第１の通信局から、未だ第２の通信局に転送していなかった情報が転送される。そしてこの未送信情報が当該他の第１の通信局から最終的に前記第２の通信局へと転送される。
【００２８】
この方法によれば、ハンドオーバ元の一の第１の通信局にて第２の通信局に送信されなかった情報は破棄されることなく、最終的にハンドオーバ先の他の第１の通信局を経由して第２の通信局へと送信される。その結果第２の通信局では受信情報の欠損が生ずることがなく、もって再送要求を行う必要がない。したがって情報の遅延が最小限とされる。
【００２９】
また本発明では、前記情報の転送の機能の移譲、すなわちハンドオーバ先の前記他の第１の通信局から直接前記第２の通信局に転送された情報と、ハンドオーバ元の一の第１の通信局から他の第１の通信局を経由して第２の通信局に転送された情報とを区別するための所定の区別情報を付すようにした。
【００３０】
上記のごとく、ハンドオーバ元の一の第１の通信局からハンドオーバ先の他の第１の通信局を経由して第２の通信局へ送信される情報と、直接一の第１の通信局を経ず他の第１の通信局から第２の通信局へ送信される情報とが第２の通信局で受信される際、情報の受信の順番が前後する場合がある。このような場合であっても、上記のごとく、これらの情報を区別するための所定の区別情報を付しておくことにより、最終的に受信した第２の通信局においてこの所定の区別情報を参照することにより、情報の連続性を確保可能となる。
【発明の効果】
【００３１】
このように本発明によれば情報の破棄がなされないため再送要求が不要となり、再送制御による情報の遅延が防止される。
【００３２】
また再送要求が生じないために上位局において再送要求に備えて送信済み情報をバッファリングするための記憶容量の確保が不要となる。
【００３３】
また上記区別情報の機能により、ハンドオーバ先の他の第１の通信局では、ハンドオーバ元の一の第１の通信局からの未送信情報の転送を待ち、これを受信した後にそれまでバッファリングしていた情報と併せて順序を揃えたのちに送信を行うというプロセスを踏む必要がなく、ハンドオーバ後に受信される情報を即送信可能となる。このため通信リソースの有効利用が図れる。
【図面の簡単な説明】
【００３４】
【図１】従来の一例の通信方式を説明するための図である。
【図２】従来の他の例の通信方式を説明するための図である。
【図３】本発明の一実施例による通信方式を説明するための図である。
【図４】従来の一例の通信方式を説明するためのタイムチャートである。
【図５】従来の他の例の通信方式を説明するためのタイムチャートである。
【図６】本発明の一実施例による通信方式を説明するためのタイムチャートである。
【図７】本発明の他の実施例による通信方式を説明するためのタイムチャートである。
【図８】従来の一例による通信方式における各通信装置の構成を説明するためのブロック図である。
【図９】従来の他の例による通信方式における各通信装置の構成を説明するためのブロック図である。
【図１０】本発明の一実施例による通信方式における各通信装置の構成を説明するためのブロック図である。
【図１１】本発明の他の実施例による通信方式における各通信装置の構成を説明するためのブロック図である。
【図１２】従来の一例の通信方式の動作シーケンス（ａ）と本発明の他の実施例による通信方式の動作シーケンス（ｂ）とを対比して示す図である。
【図１３】従来の他の例の通信方式の動作シーケンス（ａ）と本発明の一実施例による通信方式の動作シーケンス（ｂ）とを対比して示す図である。
【発明を実施するための形態】
【００３５】
以下図とともに、本発明の実施例の構成について詳細に説明する。
【００３６】
図３は基地局３０−１から基地局３０−２へハンドオーバする際の、本発明の一実施例による通信方式における動作を説明するための図である。
【００３７】
同図中、基地局３０−１はネットワークを通じて外部通信局１００から受信(ステップＳ２１)した情報にＴＳＮとしてＴＳＮ１２〜を付与(ステップＳ２２)し、端末１０へ送信(ステップＳ２３)している。
【００３８】
ここでハンドオーバが実施されると、外部通信局１００は基地局３０−１への情報伝送を停止し、基地局３０−１へ向けての伝送を開始(ステップＳ４)する。
【００３９】
基地局３０−１は、端末１０への未送信情報ＴＳＮ−１４を基地局３０−２へ転送(ステップＳ２５)する。基地局３０−２では基地局３０−１より転送(ステップＳ２５)された情報を、基地局３０−１の付与したＴＳＮのままで端末１０に送信(ステップＳ２６)する。
【００４０】
基地局３０−２では外部通信局から直接受信した情報(ステップＳ２４)には新たなＴＳＮとしてＴＳＮ−３３〜を付与して端末１０に送信(ステップＳ２７)する。
【００４１】
ここで端末１０は、基地局３０−１の付与したＴＳＮと基地局３０−２の付与したＴＳＮとを別々に順序制御する手段を有する。その結果両者が混在しても正しい順序に復元し得る(ステップＳ２８)。
【００４２】
以下図４ないし図１３とともに、本発明の実施例につき、さらに詳細に説明する。
【００４３】
本発明の実施例の特徴の理解を助ける目的で、上述の従来の一例（図１）及び従来の他の例（図２）と対比しながら説明を行う。
【００４４】
図４は上記従来の一例の通信方式の場合の動作タイムチャートの例を示す。
【００４５】
時刻Ｔ１までは、外部通信局から基地局上位装置５０に受信された情報は基地局３０−１の転送を経て端末１０へと送信される。基地局上位装置５０ではいわゆるＲＬＣ（無線リンクコントロール）の機能により、受信情報に対し、上記のごとくＳＮを振った上で基地局３０―１へと送信する。また基地局３０―１ではいわゆるＭＡＣ−ｈｓ（媒体アクセスコントロール−ハイスピード、以下同様）の機能により、端末１０との間の通信チャネルの状況に応じ最適なパケットサイズを設定し、各パケット毎にＴＳＮを振り、端末１０へと送信する。
【００４６】
端末１０では上記同様のＭＡＣ−ｈｓの機能及びＲＬＣの機能により受信情報に付されＴＳＮ及びＳＮの連続性を確認した上で、これをホストコンピュータへ送信する。
【００４７】
時刻Ｔ１でハンドオーバ（ＨＯ）が生じたとすると、この例では基地局３０―１では受信情報のうち未送信情報を破棄する。そしてハンドオーバ（Ｔ２）後は基地局上位装置５０は基地局３０−２に情報を送信する。基地局３０−２でも上記同様、ＭＡＣ−ｈｓの機能によりパケットサイズを設定し、各パケット毎にＴＳＮを振り、端末１０へ送信する。
【００４８】
ここで端末１０のＲＬＣ機能により、ＳＮの連続性欠如から受信情報の欠損が認識され、基地局上位装置５０に対し再送要求が行われる。そして端末１０ではＲＬＣ機能により、ホストコンピュータへ送信する情報の連続性を確保ため、該当情報が再送される迄、ホストコンピュータへの情報の送信を中断する。その間基地局３０−１から受信される情報は、端末１０内にバッファリングしておく。
【００４９】
基地局上位装置５０では上記端末１０からの再送要求を受け、バッファリングしていた該当情報を、時刻Ｔ３ないしＴ４の間に基地局３０−２へ送信する。これを受けた基地局３０−２では、上記のごとくＳＮを認識することなく、受信順にしたがって、上記ＭＡＣ−ｈｓ機能によりパケットの設定を行い、ＴＳＮを振って端末１０へ送信する。
【００５０】
端末１０ではＲＬＣ機能により、情報に付されたＳＮを参照することにより、前記再送要求に係る情報が受信されたことを認識する。そして該当情報が充足された時刻Ｔ１にて、それまでバッファリングしていた受信情報と併せて、ＳＮにしたがって受信情報の連続性が得られるように情報の順序を整えた後ホストコンピュータへ送信する。
【００５１】
このように従来の一例の通信方式の場合、端末１０では欠損情報に対する再送要求を行い、該当情報が充足されて初めてその間の受信情報と併せてホストコンピュータへ送信する。従ってその間、すなわち時刻Ｔ１ないしＴ４の間、ホストコンピュータへ送信は中断される。
【００５２】
図５は上記従来の他の例の通信方式の場合の動作タイムチャートを示す。
【００５３】
この場合上記図４の例と異なり、基地局上位装置５０を設けない。このため、外部通信局から送信される情報は直接基地局３０−１に受信される。その結果受信情報には上記ＳＮは付されていない。
【００５４】
基地局３０−１では上記同様、ＭＡＣ−ｈｓ機能によりパケットの設定を行い、ＴＳＮを振って端末１０へ送信する。
【００５５】
上記同様時刻Ｔ１でハンドオーバが生ずると、ハンドオーバの間、すなわち時刻Ｔ１ないしＴ３の間に基地局３０−１が受信した情報は端末１０へすることができない。この例の場合、これを破棄せず、ハンドオーバ先の基地局３０−２へ転送する。
【００５６】
基地局３０−２ではハンドオーバ（時刻Ｔ２）後に受信した情報を端末１０に送信せずバッファリングし、ハンドオーバ元の基地局３０−１からの未送信情報の転送を待つ。また基地局３０−２ではＭＡＣ−ｈｓ機能により、基地局３０−１からＴＳＮ情報の通知を受け、ＴＳＮのナンバリング〜ＴＳＮ−１４を引き継ぐ。そして以降、引き継いだナンバリングにしたがって引き続き受信情報にＴＳＮを振る（ＴＳＮ−１５〜）。
【００５７】
そして時刻Ｔ１３ないしＴ１４の間に基地局３０−１から未送信情報（ＴＳＮ−１４）の転送を受けると、基地局３０−２ではＭＡＣ−ｈｓ機能により受信情報に付されたＴＳＮを参照することにより、情報の連続性（ＴＳＮ−１４〜）にしたがって情報を再配列したのち、端末１０へ送信する（時刻Ｔ１４）。
【００５８】
端末１０ではＭＡＣ−ｈｓ機能により受信情報に付されたＴＳＮを参照することにより情報の連続性を確認し、ホストコンピュータへ送信する。
【００５９】
このように従来の他の例の通信方式によれば、ハンドオーバ先の基地局３０−２ではハンドオーバ元の基地局３０−１から未送信情報ＴＳＮ−１４の転送があるまで、その間に受信した情報ＴＳＮ−１５〜ＴＳＮ−１７をバッファリングする必要があり、記憶容量の確保が要される。
【００６０】
またこの基地局３０−２ではこのように基地局３０―１からの未送信情報ＴＳＮ−１４の転送を待つ間（時刻Ｔ２ないしＴ１４），端末１０に対する情報送信を中断する。従ってその間、該当する通信リソースの有効利用が図れない。
【００６１】
図６は本発明の一実施例（図３に対応）による通信方式の場合の動作タイムチャートを示す。
【００６２】
この場合、図５とともに上述の従来の他の例の場合同様、基地局上位装置５０を省略している。
【００６３】
図５の例と異なるのは、ハンドオーバ（Ｔ１ないしＴ２）後、ハンドオーバ先の基地局３０−２では、ハンドオーバ元の基地局３０−１から未送信情報ＴＳＮ−１４の転送がある間に受信された情報をバッファリングすることはせず、そのまま端末１０へと送信する。その際基地局３０−２では、例えば、あらかじめ端末１０から、それまでハンドオーバ元の基地局３０−１から端末１０が受信した情報に付されたＴＳＮと重複するおそれのない番号の通知を受ける。
【００６４】
図６の例の場合、端末１０が最後に受信した情報はＴＳＮ―１３である。したがって端末１０では、ハンドオーバ元の基地局３０−１が有する未送信情報のＴＳＮは、ＴＳＮ−１４以降であることが予測される。したがって端末１０は、それらの番号と重複するおそれのない番号として、例えばＴＳＮ−０をハンドオーバ先の基地局３０−２に通知する。これを受けた基地局３０−２では、ハンドオーバ（Ｔ２）後に受信した情報にＴＳＮ―０を初期値として順次ＴＳＮを振り、バッファリングせずに端末１０へ送信する。
【００６５】
そして時刻Ｔ１３にて基地局３０−１から未送信情報ＴＳＮ−１４が受信されると、基地局３０−２は、ＴＳＮを変えずに、そのまま端末１０へと送信する（Ｔ１３〜Ｔ１４）。
【００６６】
端末１０はそのＭＡＣ−ｈｓ機能１１−１によってハンドオーバ前の受信情報のＴＳＮを管理している。そして時刻Ｔ２に、それまでの受信情報のＴＳＮ（〜ＴＳＮ−１３）との間に連続性を有さないＴＳＮ（ＴＳＮ−０〜）を有する情報が受信される。これを検出すると、当該ＭＡＣ−ｈｓ機能１１−１は、別個のＭＡＣ−ｈｓ機能１１−２を起動する。この新たなＭＡＣ−ｈｓ機能１１−２は、当該それまでとは連続性を有さないＴＳＮ（ＴＳＮ−０〜）を管理する。
【００６７】
その後、時刻Ｔ１３〜Ｔ１４において、ハンドオーバ元の基地局３０−１経由で未送信情報ＴＳＮ−１４が送信されると、端末１０のＭＡＣ−ｈｓ機能１１―１ではこれを受け、それまで自己が管理していたＴＳＮ（〜ＴＳＮ−１３）との間の連続性を検出する。端末１０ではこれに基づいて情報の連続性を得る。
【００６８】
すなわち、当初からＴＳＮを管理していたＭＡＣ−ｈｓ機能１１―１による情報の連続性の検出に係る情報ＴＳＮ−１４と、ハンドオーバ後に起動されたＭＡＣ−ｈｓ機能１１−２による情報の連続性に係る情報ＴＳＮ−０〜ＴＳＮ−２とに対し、前者の情報ＴＳＮ−１４は当初管理されていた情報に連続する情報として扱い、後者の新たに管理されたＴＳＮ−０〜ＴＳＮ−２は、これに引き続く情報として扱う。その結果端末１０では、一連の情報として、ＴＳＮ−１４，ＴＳＮ−０〜ＴＳＮ２の順に受信情報を再配列した後、ホストコンピュータへ送信する。
【００６９】
この方式によれば、ハンドオーバに左右されない絶対的な番号としてのＳＮを付すことなく、ハンドオーバ後の情報に対し基地局にて、ハンドオーバ前のＴＳＮと重なることがないＴＳＮを新たに振るようにし、ハンドオーバ前後の情報を明確に区別可能とする。その結果、ハンドオーバ元の基地局３０−１からハンドオーバ先の基地局３０−２を経由することでタイミングが遅れて端末１０に受信された未送信情報は、基地局３０−１を経由せずに直接基地局３０―２から送信された情報と確実に区別され得る。したがって端末１０では、確実に情報の連続性を得ることができる。
【００７０】
なお各基地局３０−１，３０−２では、再送制御用のＴＳＮを振ってバッファリングし、端末１０との間でこのＴＳＮを使用した再送制御を行う機能を有するものとする。同様に端末１０ではＴＳＮを使用して基地局と間で再送制御を行う機能を有する。
【００７１】
この方式において、上記情報の区別のため、基地局３０−１と基地局３０−２とで付するＴＳＮが異なることを示すため、所定の情報をＴＳＮに付すようにしても良い。
【００７２】
またこの方式ではハンドオーバ後、基地局３０−１から未送信情報ＴＳＮ−１４が転送されるまでに受信される情報をバッファリングすることなく、新たな（独自の）ＴＳＮを振った上で端末１０へ送信する。したがってその間（Ｔ２〜Ｔ１４）も、基地局３０−１，３０−２から端末１０への情報の送信は中断されない。したがってその間の通信リソースが有効に利用され得る。
【００７３】
またこの方式においてハンドオーバ前後の受信情報間の連続性を容易にするため、ハンドオーバ元の基地局３０−１によって付されたＴＳＮの最後の値（ＴＳＮ−１４）と、ハンドオーバ先の基地局３０−２によって最初に付されたＴＳＮの値（ＴＳＮ−０）とが、端末１０へ通知される構成を設けることが望ましい。その結果端末１０では、最終ＴＳＮ番号と先頭ＴＳＮ番号とを結合することで容易に情報の連続性を確保することができる。
【００７４】
また端末１０はハンドオーバの発生を通知する情報とともに、現在基地局３０−１との間で使用しているＴＳＮ番号を基地局３０−２に通知するものとし、これを受けた基地局３０−２は、これと重ならないよう、例えば基地局３０−１で使用しているＴＳＮ番号に２０を加算したＴＳＮ番号から使用するようにしてもよい。
【００７５】
また、端末１０はハンドオーバの発生を通知する情報とともに、現在基地局３０−１との間で使用しているＴＳＮ番号から十分離れた値を有するＴＳＮ番号（例えば２０を加算した値）を基地局３０−２に通知し、基地局３０−２はこれをＴＳＮの初期値として使用するようにしてもよい。この場合は、基地局３０−２は端末１０に対し、ＴＳＮの初期値を通知する必要はない。
【００７６】
また、上記基地局３０−１における未送信情報とは、基地局３０−１が端末１０に対しすでに送信したが端末１０からの受信確認がなされていないものも含めることが望ましい。このような情報、すなわち基地局３０−１から一旦送信されたが、端末１０において完全な状態で受信されなかった情報について未送信情報と扱うことで、そのような情報も含めて基地局３０−１が基地局３０−２に転送するようにする。その結果、端末１０では情報の連続性を確実に得ることが可能となる。
【００７７】
またその際、基地局３０−１は基地局３０−２に対し、転送する情報が純粋な未送信情報か、あるいは送信済みであるが端末１０からの受信確認がなされていないものであるかの区別を通知することが望ましい。その結果、基地局３０−２では、純粋な未送信情報であれば基地局３０−２と端末１０間の通信品質に応じた最適なパケットサイズを設定してＴＳＮ番号を振りなおして送信することが可能となり、他方受信確認されていない情報であれば、そのままのパケットサイズで送信する必要があることを認識できる。
【００７８】
これは、純粋な未送信情報である場合と異なり、一旦送信済みの情報は、これを受けた端末１０においてそのパケットサイズを認識済みの可能性が高い。そのような場合、再送する際にパケットサイズを変更すると、端末１０側ではすでに認識したパケットサイズと異なるパケットを受信することとなり、情報の同一性の認識が困難となる等の問題が生じ得るからである。
【００７９】
また、基地局３０−２は基地局３０−１から転送されてきた情報は、基地局３０−１を経由せずに直接受信したものに比し、優先順位を上げて端末１０へ送信する構成とすることが望ましい。
【００８０】
次に図７とともに、本発明の他の実施例による通信方式の内容につき、以下に説明する。
【００８１】
この場合は図４とともに説明した従来の一例の方式同様、基地局上位装置５０'を使用する。ただし従来の一例と異なり、基地局上位装置５０'は再送要求に備えた送信済みの情報のバッファリングは不要であり、もってそのための記憶容量の確保が不要である。
【００８２】
当該本発明の他の実施例による方式では、このように基地局上位装置５０'を使用し、そこで送信情報に対しＳＮが振られる。このＳＮは一連の情報の順序を示しており、ハンドオーバが発生した結果その前後で情報の送信順序が前後した場合であっても、最終的に端末１０のＲＬＣ機能１２により受信情報に付されたこのＳＮが参照されることにより、受信情報の連続性が確保される。
【００８３】
図４の従来の一例と異なるのは、ハンドオーバ時（Ｔ１〜Ｔ２）、基地局３０−１では端末１０へ送信できなくなった未送信情報ＳＮ−２８〜ＳＮ−３１を破棄せず、ハンドオーバ先の基地局３０−２へ転送することである。そしてこれらの未送信情報は基地局３０−２によって端末１０へと送信されるため、端末１０では再送要求を行うことなく全ての必要な情報を得ることができる。
【００８４】
したがって端末１０では、ハンドオーバＴ１〜Ｔ２の間に受信情報の連続性が損なわれた場合（〜ＳＮ−２７、ＳＮ−３２〜）であっても、それによって基地局上位装置５０'に対し再送要求は行わない。そして、基地局３０−１から基地局３０−２を経由してその欠損情報ＳＮ−２８〜ＳＮ−３１が送信される（Ｔ１３〜Ｔ１４）まで待つ。そしてその間、図４の例の場合同様、基地局３０−２から受信される情報ＳＮ−３２〜ＳＮ―３７をバッファリングするものとし、ホストコンピュータへの送信を中断する。
【００８５】
そして欠損情報ＳＮ−２８〜ＳＮ−３１が送信されると（Ｔ１４），基地局３０−２ではこれらを端末１０へ送信するとともに、引き続き、上記のごとくバッファリングしていた受信情報ＳＮ−３２〜ＳＮ―３７を端末１０へ送信する。その結果、ホストコンピュータにおいて受信情報の連続性が確保される。
【００８６】
なおこの本発明の他の実施例による通信方式において、ＳＮを振る機能を独立した基地局上位装置５０'とする必要はなく、例えばいずれかの基地局に当該機能を持たせても良い。この場合、最初にＳＮを振った基地局では、通信が切断するまでＳＮ番号を振り続ける構成とすることが望ましい。さらに、ある基地局においてトラフィック量が少ない場合あるいはゼロの場合、ＳＮ番号を振る機能を当該基地局に移譲する構成とすることが望ましい。
【００８７】
また図７とともに上述の本発明の一実施例の場合同様、各基地局３０−１，３０−２では、再送制御用のＴＳＮを振ってバッファリングし、端末１０との間でこのＴＳＮを使用した再送制御を行う機能を有するものとする。同様  端末１０でもＴＳＮを使用して基地局との間で再送制御を行うとともに、上記のごとく、ＳＮを使用した順番制御を行う。
【００８８】
そしてハンドオーバが発生すると基地局３０−１は未送信情報をハンドオーバ先の基地局３０−２へ転送する。
【００８９】
ハンドオーバの発生に伴い、端末１０はＴＳＮをリセット（Ｔ２）し、ＳＮはそのまま継続させる。
【００９０】
また上記一実施例同様、基地局３０−１の未送信情報とは、基地局３０−１が端末１０に送信したが端末１０から受信確認がなされていないものも含めることが望ましい。このような情報、すなわち基地局３０−１から一旦送信されたが、端末１０において完全な状態で受信されなかった情報についても未送信情報と扱うことで、そのような情報も含めて基地局３０−１は基地局３０−２に転送するようにし、基地局３０−２を経由してこれを受ける端末１０では、情報の連続性を確実に得ることが可能となる。
【００９１】
またその際、基地局３０−１は基地局３０−２に対し、転送する情報が純粋な未送信情報であるか、送信済みであるが端末１０で受信確認されていない情報であるかの区別を通知することが望ましい。その結果、基地局３０−２では、純粋な未送信情報であれば基地局３０−２と端末１０間の通信品質に応じた最適なパケットサイズとしＴＳＮ番号を振りなおして送信することが可能となり、受信確認されていない情報であれば、そのままのパケットサイズで送信する必要があることを認識できる。
【００９２】
また一実施例の場合同様、基地局３０−２では、基地局３０−１から転送されてきたデータは優先順位をあげて端末１０へ送信する構成とすることが望ましい。
【００９３】
次に図８ないし図１１とともに、上記各従来例及び本発明の各実施例による通信方式を実現するための通信装置の構成につき説明する。
【００９４】
図８は、図４とともに上述した従来の一例による通信方式を実現するための場合の各通信装置の構成を示すブロック図である。
【００９５】
図示の基地局上位装置５０はＰＤＵ（パケットデータユニット）５１，ＳＮ付与部５２及びバッファ５３を有する。
【００９６】
ＰＤＵ５１は外部通信装置から受けた情報を所定の情報単位に分割する。ＳＮ付与部５３はこのように分割された情報単位毎にＳＮを振る。バッファ５３は再送要求に備え、送信済みの情報のバッファリングする。
【００９７】
この基地局上位装置５０から情報を受ける基地局３０−１，３０−２は、ＴＳＮ付与部３１，バッファ３２，変調部３３及び破棄部３４を有する。
【００９８】
ＴＳＮ付与部３１は端末１０との間の通信チャネルの状況に応じて最適なパケットサイズを決定し、そのサイズ分の情報を集めてＴＳＮを振る。バッファ３２は端末１０との再送制御用に送信情報をバッファリングする。変調部３３は端末１０に対し無線送信を実行するため、送信情報で変調した送信信号を生成する。破棄部３４は上記のごとく、ハンドオーバ時に端末１０に対し送ることができなくなった情報を破棄する。
【００９９】
基地局３０−１，３０−２から情報の送信を受ける端末１０（すなわち携帯電話機等）は、復調部９，ＴＳＮ（再送）順序制御部１１及びＳＮ（再送）順序制御部１２を有する。
【０１００】
復調部９は基地局３０−１，３０−２から送信された信号を復調して受信情報を得、バッファ機能を有するＴＳＮ（再送）順序制御部１１は、基地局３０−１，３０−２との間でＴＳＮによる再送制御を行う。同様にバッファ機能を有するＳＮ（再送）順序制御部１２は、基地局３０−１，３０−２との間でＳＮによる再送制御を行う。
【０１０１】
図９は、図５とともに上述した従来の他の例による通信方式を実現するための場合の各通信装置の構成を示すブロック図である。
【０１０２】
上記のごとく、この例では基地局上位装置５０を省略している。
【０１０３】
ネットワークを通じて外部の通信局１００から情報を受ける基地局３０−１，３０−２は、ＴＳＮ付与部３１，バッファ３２，変調部３３及びＴＳＮ順序制御部３６を有する。
【０１０４】
ＴＳＮ付与部３１は端末１０との間の通信チャネルの状況に応じて最適なパケットサイズを決定し、そのサイズ分の情報を集めてＴＳＮを振る。バッファ３２は端末１０との再送制御用に送信情報をバッファリングする。変調部３３は端末１０に対する無線送信を実行するため送信情報で変調した送信信号を生成する。ＴＳＮ順序制御部３６は、上記のごとく、ハンドオーバ元の基地局から未送信情報の転送を待ち、これを受信するとバッファリングしてあった情報と併せて情報の再配列を行う。
【０１０５】
基地局３０−１，３０−２から情報の送信を受ける端末１０は、復調部９及びＴＳＮ（再送）順序制御部１１を有する。
【０１０６】
復調部９は基地局３０−１，３０−２から送信された信号を復調して受信情報を得、バッファ機能を有するＴＳＮ（再送）順序制御部１１は、基地局３０−１，３０−２との間でＴＳＮによる再送制御を行う。
【０１０７】
図１０は、図６とともに上述した、本発明の一実施例による通信方式を実現するための場合の各通信装置の構成を示すブロック図である。
【０１０８】
この場合も図９の場合同様、基地局上位装置５０を省略している。
【０１０９】
図９に示す場合と異なる部分は、各基地局３０−１，３０−２にはＴＳＮ順序制御部３６が不要な点である。他の部分については図９の場合と同様である。
【０１１０】
基地局３０−１，３０−２から情報の送信を受ける端末１０は、図９の場合と異なり、二つのＴＳＮ（再送）順序制御部１１―１，１１−２を有する。他の部分については図９の場合と同様である。
【０１１１】
このように二つのＴＳＮ（再送）順序制御部１１―１，１１−２を有するのは、図６とともに上述の通り、端末１０では２系統のＴＳＮ管理を行う必要があるからである。すなわちこれらＴＳＮ（再送）順序制御部１１―１，１１−２は、図６とともに上述のＭＡＣ−ｈｓ機能１１−１，１１―２にそれぞれ対応する。
【０１１２】
さらに端末１０は、これらＴＳＮ（再送）順序制御部１１―１，１１−２から得られた２系統の情報を結合する結合部１３を有する。これは、ハンドオーバ元の基地局（図６の例の場合３０−１）によってＴＳＮが振られた受信情報と、ハンドオーバ先の基地局（図６の例の場合３０−２）によってＴＳＮが振られた受信情報とを結合し、その間で情報の連続性を確保する機能を有する。
【０１１３】
図１１は、図７とともに上述した、本発明の一実施例による通信方式を実現するための各通信装置の構成を示すブロック図である。
【０１１４】
基本的には図８とともに上述した従来の一例の通信方式の場合と同様の構成を有する。
【０１１５】
図８の場合と異なる部分のみ説明し、共通する部分の説明は省略する。
【０１１６】
まず上記のごとく、基地局上位装置５０'にはバッファ５３が不要である。端末１０からの再送要求に備える必要がないからである。これは上記のごとく、基地局３０−１，３０−２において、ハンドオーバ時、端末１０に送ることができなかった情報を破棄せず、ハンドオーバ先の基地局経由で端末１０に転送するためである。
【０１１７】
基地局３０−１，３０−２では、破棄部３４は不要であり、代わりに転送制御部３８が設けられる。
【０１１８】
この転送制御部３８は、ハンドオーバ時、自らがハンドオーバ元（図７の例では３０−１）であれば端末１０からの通知によりハンドオーバ先の基地局（３０−２）を認識し、端末１０に送ることができずにバッファ３２のバッファリングした未送信情報をハンドオーバ先の基地局へ転送する機能を有する。逆に自らがハンドオーバ先の基地局（３０−２）の場合には、ハンドオーバ元の基地局３０−１から未送信情報を受ける機能を奏する。
【０１１９】
次に図１２とともに、上記従来の一例の通信方式（ａ）と本発明の他の実施例による通信方式（ｂ）とを対比して説明する。
【０１２０】
基地局上位装置５０が外部通信装置１００から送信情報を受けると（ステップＳ１０１）、ＳＮを付与し（ステップＳ１０２）、基地局３０−１に送信する（ステップＳ１０３）。
【０１２１】
基地局３０−１ではこれを受け、パケットの設定を行いＴＳＮを付与し（ステップＳ１０４）、端末１０へ送信する（ステップＳ１０６）。端末１０では受信情報をホストコンピュータ１へ送信する（ステップＳ１０７）。
【０１２２】
その時点でハンドオーバ（ＨＯ）が生じたとすると、基地局３０−１では端末１０に送信できなかった未送信情報を破棄し（ステップＳ１０８）、基地局上位装置５０では以後、送信情報をハンドオーバ先の基地局３０−２に送信する（ステップＳ１０８）。
【０１２３】
基地局３０−２ではこれを受けてパケットの設定を行いＴＳＮを付与し（ステップＳ１１０）、端末１０に送信する（ステップＳ１１１）。ここで端末１０では受信情報のＳＮを参照することにより情報の欠損を認識する（ステップＳ１１２）。その結果、基地局３０−２を介して基地局上位装置５０に対し再送要求を行う（ステップＳ１１２，Ｓ１１４）。
【０１２４】
これを受けて基地局上位装置５０は該当情報を基地局３０−２経由で端末１０に再送する（ステップＳ１１５，Ｓ１１６，Ｓ１１７）。
【０１２５】
これを受けた端末１０では、それまでホストコンピュータへ送信せずにバッファリングしていた受信情報と併せて、ＳＮにしたがって順序を揃えてホストコンピュータ１へ送信する（ステップＳ１１８）。
【０１２６】
この方式では上記のごとく、端末１０にてＳＮの参照により受信情報の欠損を認識し、基地局上位装置５０へ再送要求を行い、基地局上位装置５０からの再送を待ってそれまでの受信情報と併せてホストコンピュータ１へ送信する。このため、再送に要する時間の分、情報遅延が増加する。
【０１２７】
他方図１２（ｂ）に示す本発明の他の実施例による通信方式の場合上記のごとく、ハンドオーバ後、ハンドオーバ元の基地局３０−１では未送信情報を破棄せず、ハンドオーバ先の基地局３０−２へ転送する（ステップＳ１２４）。基地局３０−２ではこれをそのまま端末１０へ送信する（ステップＳ１２５）。
【０１２８】
この実施例の場合、ＳＮを付与（ステップＳ１０２）する基地局上位装置５０'が設けられており、ここで振られたＳＮは、その後のハンドオーバＨＯによる影響を受けない。したがって端末１０における受信順序によらず、端末１０では適切に受信情報の順序を判定でき、それに従って情報を再配列することにより、情報の連続性を確保してホストコンピュータ１へ送信（ステップＳ１２６）することができる。
【０１２９】
この方式は図１２（ａ）の方式と異なり、欠損情報についての基地局上位装置５０'からの再送プロセスを経ない。その結果、最終的に情報の連続性を確保した上で受信情報をホストコンピュータ１へ送信するのに要する時間を効果的に短縮可能である。
【０１３０】
次に図１３とともに、上記従来の他の例の通信方式（ａ）と、本発明の一実施例による通信方式（ｂ）とを対比して説明する。
【０１３１】
基地局３０−１が外部通信装置１００から送信情報を受ける（ステップＳ１０１）と、パケットの設定を行いＴＳＮを付与し（ステップＳ１３１）、端末１０へ送信する（ステップＳ１３２）。端末１０では受信情報をホストコンピュータ１へ送信する（ステップＳ１３３）。
【０１３２】
その時点でハンドオーバ（ＨＯ）が生じたとすると、基地局３０−１ではその結果端末１０に送信できなくなった未送信情報をハンドオーバ先の基地局３０−２に転送する（ステップＳ１３６）。
【０１３３】
また基地局３０−２は外部通信装置１００から送信情報を受け、これを送信せずにバッファリングしながら（ステップＳ１３５）、基地局３０−１からの未送信情報の転送を待つ。そしてこれを受けるとそれまでバッファリングしてあった受信情報と併せ、順序を揃えて端末１０へ送信する（ステップＳ１３７，Ｓ１３８）。端末１０では受信情報をホストコンピュータ１へ送信する（ステップＳ１３９）。
【０１３４】
この方式では上記のごとく、ハンドオーバ先の基地局３０−２ではハンドオーバ元の基地局３０−１から未送信情報が転送されてくるまで端末１０への送信を中断する。従ってその間の該当する通信リソースが有効利用され得ない。
【０１３５】
また基地局３０−２ではその間受信情報をバッファリングする必要があるため、記憶容量の確保が要される。
【０１３６】
これに対し図１３（ｂ）に示す本発明の一の実施例の構成によれば、ハンドオーバ先の基地局３０−２ではハンドオーバ元の基地局３０−１から未送信情報が転送される（ステップＳ１３６）まで、端末１０への送信を中断せずに続行する。その間、外部通信局から受信される情報に対し、上述のごとく基地局３０−１におけるＴＳＮと重ならないような態様にてＴＳＮを振り（ステップＳ１４１）、端末１０へ送信する（ステップＳ１４２）。
【０１３７】
その際、外部通信装置１００から基地局３０−１を経由せず直接基地局３０−２を経て端末１０に受信される（ステップＳ１３５，Ｓ１４２）受信情報と、基地局３０−１及び３０−２を経由して端末１０に受信される（ステップＳ１３６，１４３）受信情報とは、上記のごとくＴＳＮが重ならないようにして振られている。その結果、端末１０における受信順序によらず、端末１０では適切に両者を判別でき、もって両者間の順序を正しく把握できる。端末１０ではその把握内容に従って情報の再配列を行い、情報の連続性を確保してホストコンピュータ１へ送信（ステップＳ１４４）することができる。
【０１３８】
このように図１３（ｂ）に示す本発明の一実施例による通信方式によれば、基地局３０−１，３０−２から端末１０への通信リソースが不使用となることがなく、有効利用が図れるとともに、基地局においてハンドオーバ元の基地局からの未送信情報の転送を待つ間受信情報をバッファリングする記憶容量が不要となるため、基地局の所要設備を効果的に削減可能となる。
【０１３９】
本発明は以下の付記の構成をとり得る。
（付記１）
所定の情報を複数の第１の通信局を介して第２の通信局に送信する通信方法であって、
前記第２の通信局が前記複数の第１の通信局のうちの一の通信局を介して前記所定の情報を受信する段階と、
前記第２の通信局が前記所定の情報を受信する際の前記一の第１の通信局の機能が他の第１の通信局へ移譲された際に当該他の第１の通信局は前記一の第１の通信局から前記所定の情報の転送を受け、これを前記第２の通信局へ転送する段階と、
前記一の第１の通信局から前記他の第１の通信局を介して前記第２の通信局に転送される前記所定の情報と、前記他の第１の通信局から直接前記第２の通信局に転送される前記所定の情報とを区別するための所定の区別情報を付す段階とよりなる通信方法。
（付記２）
前記所定の区別情報を付す段階は、前記第２の通信局が前記所定の情報を受信する際の前記一の第１の通信局の機能が他の第１の通信局へ移譲された際、当該他の第１の通信局にて、前記一の第１の通信局を経ず直接受信した前記所定の情報に対して独自に番号を付す段階よりなる付記１に記載の通信方法。
（付記３）
前記一の第１の通信局を経ず直接受信した情報に対して独自の番号を付す段階は、前記第２の通信局が前記一の第１の通信局との間で使用している所定の番号の値を前記他の第１の通信局に通知し、当該他の第１の通信局では通知された値に所定の値を加算した値を初期値として番号を付す段階よりなる付記２に記載の通信方法。
（付記４）
前記一の第１の通信局を経ず直接受信した情報に対し独自の番号を付す段階は、前記第２の通信局が前記一の第１の通信局との間で使用している所定の番号の値に所定の値を加算した値を前記他の第１の通信局に通知し、当該他の第１の通信局では通知された値を初期値として番号を付す段階よりなる付記２に記載の通信方法。
（付記５）
前記一の第１の通信局では、すでに前記第２の通信局に転送済みであって未だ受信確認の通知を受けていない所定の情報を未だ第２の通信局へ転送していないものとして扱う段階を有する付記１ないし４のうちのいずれかに記載の通信方法。
（付記６）
前記一の第１の通信局は前記第２の通信局へ転送する所定の情報が未転送のものか未だ受信確認の通知を受けていないものかの区別を前記他の第１の通信局へ通知し、
前記他の第１の通信局では未転送の所定の情報について前記第２の通信局との間の通信状況に応じた最適なパケットサイズを設定し、未だ受信確認の通知を受けていないものについてはパケットサイズを変えずに転送する構成とされてなる付記５に記載の通信方法。
（付記７）
前記所定の区別情報を付す段階は、前記複数の第１の通信局が前記所定の情報を処理する前に行われることを特徴とする付記１に記載の通信方法。
（付記８）
前記複数の第１の通信局では、すでに前記第２の通信局に転送済みであって未だ受信確認の通知を受けていない所定の情報を未だ第２の通信局へ転送していないものとして扱うことを特徴とする付記７に記載の通信方法。
（付記９）  
前記所定の区別情報を付す段階は、前記複数の第１の通信局のうちのいずれかによってなされる構成とされてなる付記７または８に記載の通信方法。
（付記１０）
前記所定の区別情報を付す動作は、当該通信局における通信が切断されるまで継続してなされる構成とされてなる付記９に記載の通信方法。
（付記１１）
所定の情報を所定の通信局に転送する通信装置あって、
当該所定の通信局へ前記所定の情報を転送する機能が他の通信装置から移譲された際、前記他の通信装置から前記所定の情報の転送を受け、これを前記所定の通信局へ転送する手段と、
前記所定の情報の転送の機能の移譲の際、前記他の通信装置から転送されたものを前記所定の通信局へ再転送する所定の情報と、前記他の通信装置を経由せずに直接受信したものを前記所定の通信局へ転送するものと区別するための所定の区別情報を付す手段とよりなる通信装置。
（付記１２）
前記所定の区別情報を付す手段は、前記所定の情報の転送の機能が前記他の通信装置から移譲された際、当該他の通信装置を経ず直接受信した情報に対し独自の番号を付す手段よりなる付記１１に記載の通信装置。
（付記１３）
さらに自己が付す番号の先頭値を前記第所定の通信局へ通知する手段よりなり、前記他の通信装置では自己が付す番号の最終値を前記所定の通信局へ通知するものとされてなる付記１２に記載の通信装置。
（付記１４）
前記所定の区別情報を付す手段は、前記所定の通信局から前記他の通信装置との間で使用している所定の番号の値の通知を受け、通知された値に所定の値を加算した値を初期値として番号を付す手段よりなる付記１１に記載の通信装置。
（付記１５）
前記所定の区別情報を付す手段は、前記所定の通信局から前記他の通信装置との間で使用している所定の番号の値に所定の値を加算した値の通知を受け、通知された値を初期値として番号を付す手段よりなる付記１１に記載の通信装置。
（付記１６）
すでに前記所定の通信局に対し転送済みであって未だ受信確認の通知を受けていない情報を、未だ転送していない情報として扱うことを特徴とする付記１１ないし１５のうちのいずれかに記載の通信装置。
（付記１７）
未だ転送していない所定の情報か受信確認の通知を受けていないものかの区別の通知を受け、前者であれば前記所定の通信局との間の通信状況に応じた最適なパケットサイズを設定し、後者であればパケットサイズを変えずに転送することを特徴とする付記１６に記載の通信装置。
（付記１８）
前記所定の区別情報を付す手段は、前記所定の情報を受信して所定の番号を振る手段よる付記１１に記載の通信装置。
（付記１９）
すでに前記所定の通信局に対し転送済みであって未だ受信確認の通知を受けていない情報を、未だ転送していない情報として扱うことを特徴とする付記１８に記載の通信装置。
（付記２０）
トラフィック量が少ないかあるいはゼロの場合に前記所定の番号を振る手段の機能を担う構成とされてなる付記１８または１９に記載の通信装置。
【符号の説明】
【０１４０】
１  ホストコンピュータ
１０  端末装置
３０―１，３０−２  基地局（装置）
５０、５０'  基地局上位装置
１００  外部通信局
【図１】
2011087328.tif 000003
【図２】
2011087328.tif 000004
【図３】
2011087328.tif 000005
【図４】
2011087328.tif 000006
【図５】
2011087328.tif 000007
【図６】
2011087328.tif 000008
【図７】
2011087328.tif 000009
【図８】
2011087328.tif 000010
【図９】
2011087328.tif 000011
【図１０】
2011087328.tif 000012
【図１１】
2011087328.tif 000013
【図１２】
2011087328.tif 000014
【図１３】
2011087328.tif 000015